(57)【要約】【課題】両面粘着層の粘着力が異なるように構成された粘着層が備えられたウェットシート用蓋部材を提供すること。【解決手段】ウェットティッシュを内包すると共に、ウェットティッシュを取り出し可能なウェットティッシュ取出口を有するウェットティッシュ包装袋２０に取り付けられるウェットティッシュ用蓋部材であって、中心部にウェットティッシュ取出口を露出させる開口が形成される蓋本体１２と、蓋本体１２に回動可能に保持するヒンジ部を有し、ヒンジ部により開口を開閉可能である蓋１０と、を備え、蓋本体１２の底面には、固定粘着剤層１１０と、テープコア１００と、脱着粘着剤層１２０とが順次形成され、蓋本体１２は、着脱粘着剤によりウェットティッシュ包装袋２０に対して着脱可能に取り付けられる。【選択図】図４
0003163938.tif 000002
【実用新案登録請求の範囲】
【請求項１】
ウェットシートを内包すると共に、当該ウェットシートを取り出し可能なウェットシート取出口を有するウェットシート包装体に取り付けられるウェットシート用蓋部材であって、
中心部に前記ウェットシート取出口を露出させる開口が形成される蓋本体と、
前記蓋本体に回動可能に保持するヒンジ部を有し、当該ヒンジ部により前記開口を開閉可能である蓋と、を備え、
前記蓋本体の底面には、固定粘着剤層と、テープコアと、脱着粘着剤層とが順次形成され、
前記蓋本体は、前記着脱粘着剤により前記ウェットシート包装体に対して着脱可能に取り付けられることで、ウェットシート包装体への再使用が可能となることを特徴とするウェットシート用蓋部材。
【請求項２】
前記固定粘着剤層の粘着力は、前記脱着粘着剤層の粘着力より相対的に大きく設定されていることを特徴とする請求項１に記載のウェットシート用蓋部材。
【請求項３】
前記固定粘着剤層は、ＪＩＳ−Ｚ−０２３７試験法、１８０ＤｅｇｒｅｅＰｅｅｌＴｅｓｔによって測定した粘着力が５００ｇから１５００ｇの範囲で設定され、
前記脱着粘着剤層は、ＪＩＳ−Ｚ−０２３７試験法、１８０ＤｅｇｒｅｅＰｅｅｌＴｅｓｔによって測定した粘着力が５０ｇから１０００ｇの範囲で設定されていることを特徴とする請求項２に記載のウェットシート用蓋部材。
【請求項４】
前記固定粘着剤層は、前記テープコアにアクリル樹脂系接着剤が塗布され、
前記脱着粘着剤層は、前記テープコアにウレタン樹脂系接着剤が塗布されて形成されていることを特徴とする請求項２に記載のウェットシート用蓋部材。
【考案の詳細な説明】
【技術分野】
【０００１】
本考案は、例えば、ウェットティッシュの乾燥を防止することができ、ウェットティッシュを簡単に取り出すことができ、かつ、再使用可能なウェットティッシュ包装袋等の蓋部材に関する。
【背景技術】
【０００２】
近年、ウェットティッシュは、乳児用・介護用をはじめとして様々な用途で愛用されている。このようなウェットティッシュが収納されるウェットティッシュ包装袋（パッケージ）は、通常、合成樹脂材から作られ、ウェットティッシュが乾燥しないように取出口を遮断するための手段として、粘着剤が塗布されたシールフィルムや取り出しも簡単にできるように合成樹脂材から作られた蓋を接着して市販している。
【０００３】
前記粘着剤が塗布されたシールフィルムを使用する場合、一度シールフィルムを開封し使い始めると、粘着部分の乾燥や汚れ等により徐々にウェットティッシュ取出口の密封が不完全になり、その結果、この取出口を介してウェットティッシュの湿気が外部に洩れ出てウェットティッシュの物質を低下させたり、異物が混入して不衛生になったり、ウェットティッシュの取り出しが不便になったりする問題等が生じる。
【０００４】
これを解消するために、特許文献１は、係止鉤及び掛止め片が備えられた蓋体と本体とで構成されるウェットティッシュ袋蓋を開示している。
【先行技術文献】
【特許文献】
【０００５】
【特許文献１】大韓民国登録実用新案公報第２０−０２６４６２８号
【考案の概要】
【考案が解決しようとする課題】
【０００６】
しかし、前記ウェットティッシュ袋蓋の場合は、ウェットティッシュ袋に強力接着剤等を用いて固く固定させた状態で提供されるため、ウェットティッシュを使い切った場合にはウェットティッシュ袋とともに捨てなければならず、資源の浪費、環境汚染、及び製造原価の増加などの問題点がある。
【課題を解決するための手段】
【０００７】
本考案は、上記のような従来技術の問題を解決するために提案されたものであって、合成樹脂材から作られ、ウェットティッシュの取り出しが簡単にできる開口が形成された蓋の底面に粘着層が形成され、より具体的には蓋の底面に固定粘着剤層と、テープコアと、脱着粘着剤層とが順次形成され、蓋側粘着層の粘着力をウェットティッシュ包装袋側の粘着層の粘着力より相対的に大きく設定する場合、粘着層が蓋に固く固定されて、ウェットティッシュ包装袋に脱着可能であり、再使用できるということがわかり、本考案を完成した。
【０００８】
したがって、本考案の目的は、両面粘着層の粘着力が異なるように構成された粘着層が備えられたウェットシート用蓋部材を提供することにある。
【０００９】
そこで、上記の目的を達成するための本考案に係るウェットシート用蓋部材は、ウェットシートを内包すると共に、当該ウェットシートを取り出し可能なウェットシート取出口を有するウェットシート包装体に取り付けられるウェットシート用蓋部材であって、中心部に前記ウェットシート取出口を露出させる開口が形成される蓋本体と、前記蓋本体に回動可能に保持するヒンジ部を有し、当該ヒンジ部により前記開口を開閉可能である蓋と、を備え、前記蓋本体の底面には、固定粘着剤層と、テープコアと、脱着粘着剤層とが順次形成され、前記蓋体は、前記着脱粘着剤により前記ウェットシート包装体に対して着脱可能に取り付けられることで、ウェットシート包装体への再使用が可能となることを特徴とする。
【００１０】
また、前記固定粘着剤層の粘着力が前記脱着粘着剤層の粘着力より相対的に大きく設定されていることを特徴とする。
【００１１】
また、前記固定粘着剤層は、ＪＩＳ−Ｚ−０２３７試験法、１８０ＤｅｇｒｅｅＰｅｅｌＴｅｓｔによって測定した粘着力が５００ｇから１５００ｇの範囲で設定され、前記脱着粘着剤層は、ＪＩＳ−Ｚ−０２３７試験法、１８０ＤｅｇｒｅｅＰｅｅｌＴｅｓｔによって測定した粘着力が５０ｇから１０００ｇの範囲で設定されていることを特徴とする。
【００１２】
また、前記固定粘着剤層は、前記テープコアにアクリル樹脂系接着剤が塗布され、前記脱着粘着剤層は、前記テープコアにウレタン樹脂系接着剤が塗布されて形成されていることを特徴とする。
【考案の効果】
【００１３】
本考案によれば、ウェットシートを使用した後、蓋のみ取り外して他の製品に何度も取り付けて再使用することができるので、資源の浪費を減らすことが可能であり、生産者の生産原価の低減に寄与することができ、ゴミ排出量を減らすことができるので、環境保全の効果を得ることができる。
【００１４】
また、本考案によれば、ウェットシート取出口を介して湿気が洩れ出ることを防止することができ、ウェットシートの品質低下を防止できる効果を期待することができる。
【００１５】
さらに、本考案によれば、蓋の接着面が汚れて粘着力が弱くなると、水拭きで汚れを取り除く簡単な方法によって粘着力が復元されるので、使用期間延長の効果を期待することができる。また、これにより、繰り返し使用しても十分な粘着力を確保することができるため、片手で開け閉めができることから、（乳幼児や高齢者などの介護者にとっても）衛生的かつ効率のよい介護が期待できる。
【図面の簡単な説明】
【００１６】
【図１】本考案のウェットティッシュ用蓋部材が適用されたウェットティッシュ包装袋の斜視図である。
【図２】本考案に係るウェットティッシュ用蓋部材が開放された状態の斜視図である。
【図３】本考案に係るウェットティッシュ用蓋部材の底面斜視図である。
【図４】本考案に係るウェットティッシュ用蓋部材の断面を示した模式図である。
【考案を実施するための形態】
【００１７】
以下、本考案の好ましい実施形態を添付図面に基づいて具体的に説明するが、本考案が次の図面に限定されるものではない。本考案の明細書に記載された「ウェットティッシュ」は、濡れた状態のティッシュを意味するものであって、例えば、除菌液により湿潤させたティッシュ等を含み、その用途やティッシュの材質及びティッシュに吸収された液体組成物の成分によって限定されるものではないと解されるべきである。また、本考案の明細書に記載された「ウェットティッシュ」は、本考案の要約書、明細書、及び実用新案登録請求の範囲に記載された「ウェットシート」の一実施形態であり、「ウェットシート」は、ウェットティッシュに限らず、各種の液体により湿潤させた紙材、さらには、不織布、布、その他の湿潤させたシート状の部材を含む概念である。
【００１８】
まず、図１には、本考案のウェットティッシュ用蓋部材（ウェットシート用蓋部材）が適用されたウェットティッシュ包装袋（ウェットシート包装体）の斜視図を示した。ウェットティッシュ用蓋部材は、図１に示すように、蓋１０と蓋本体１２とで構成される。
【００１９】
前記蓋１０は、ウェットティッシュ取出口（ウェットシート取出口）を開閉できる程度の面積を有し、蓋本体１２は、ウェットティッシュ取出口を露出させる開口が中央部に形成された蓋本体１２がウェットティッシュを内包しているウェットティッシュ包装袋２０に取り付けて用いられる。
【００２０】
前記蓋１０は、内側に折り曲げられた係止鉤が一端に形成され、前記蓋本体１２は、前記係止鉤と対応する位置に係止鉤が係止され得る掛止め片が形成されている。このように、前記蓋１０と蓋本体１２とが型合わせられるように結合することができるので、ウェットティッシュを内包するウェットティッシュ包装袋２０に接着されて、ウェットティッシュを取り出さない状態では、ウェットティッシュ包装袋２０内のウェットティッシュを乾燥させないようにすることができる。
【００２１】
本考案のウェットティッシュ用蓋部材は、一般的な生活用品に広く適用される合成樹脂材で構成することができ、ここに適用され得るウェットティッシュ包装袋２０は、合成樹脂からなる製品や合成樹脂でコーティングされた製品であれば、いずれも適用可能である。一般的に、生活用品の材質として広く用いられる合成樹脂材は具体的に、ポリエチレン（ＰＥ）、ポリエチレンテレフタレート（ＰＥＴ）、ポリプロピレン（ＰＰ）等で多様であるが、これに限定されるものではない。
【００２２】
図２には、本考案に係るウェットティッシュ用蓋部材の蓋１０が開放された状態を示した。図２に示すように、蓋１０は、蓋本体１２に対して回動できるように蓋本体１２の一端に結合されたり、ヒンジ部によって結合されることができ、開閉のために、蓋１０と蓋本体１２とには各々掛止め片と係止鉤とが形成され得る。蓋１０が開放されれば、内側にウェットティッシュ取出口を露出せることができ、これを介してウェットティッシュを取り出す。なお、本実施形態においては、蓋１０側に係止鉤を形成し、蓋本体１２側に掛止め片を形成したがこれに限られず、蓋１０側に掛止め片を形成し、蓋本体１２側に係止鉤を形成してもよい。また、掛止め片と係止鉤との係止・係止解除は、所定の係止位置において掛止め片あるいは係止鉤を弾性変形させて行ってもよく、また、掛止め片（係止鉤）を可動可能に構成し、掛止め片（係止鉤）を可動させて係止位置への移動・退避をさせることにより係止・係止解除を行ってもよい。
【００２３】
図３は、本考案に係るウェットティッシュ用蓋部材の底面斜視図であり、図４は、本考案に係るウェットティッシュ用蓋部材が適用されたウェットティッシュ包装袋の蓋取付面の断面を示した模式図である。
【００２４】
図３に示すように、本考案のウェットティッシュ用蓋部材は、蓋本体１２の底面に粘着層が形成されるが、前記粘着層は、テープコア１００を基準として両面を構成する粘着剤層の粘着力が互いに異なるように構成されている。
【００２５】
すなわち、一面はウェットティッシュ用蓋部材の蓋本体１２の底面に固く固定され、他面はウェットティッシュ包装袋２０のウェットティッシュ取出口周辺に取り付けられるが、ウェットティッシュを使い切った場合、図３に示すように、ウェットティッシュ用蓋部材をウェットティッシュ包装袋２０から分離することができ、再使用が可能である。
【００２６】
このために、テープコア１００を基準として蓋本体１２の底面に取り付けられる固定粘着剤層１１０は合成樹脂材からなるウェットティッシュ用蓋部材に固く接着されなければならず、その粘着力は、ウェットティッシュを内包しているウェットティッシュ包装袋２０の荷重に耐えることができ、ウェットティッシュ包装袋２０をウェットティッシュ用蓋部材と分離するとき、張力によって脱着しないようにウェットティッシュ包装袋２０側の脱着粘着剤層１２０と比較して相対的に大きく構成されなければならない。すなわち、固定粘着剤層１１０の粘着力が脱着粘着剤層１２０の粘着力と比較して相対的に大きく設定される。
【００２７】
より具体的に、前記テープコア１００の両面には互いに異なる材質の粘着剤が塗布されるが、前記固定粘着剤層１１０は、アクリル樹脂系接着剤からなることが好ましく、脱着粘着剤層１２０は、ウェットティッシュ包装袋２０をウェットティッシュ用蓋部材と分離するとき、ウェットティッシュ包装袋２０の表面に粘着剤を残さずに、完全に取り外すことができるように、ウレタン樹脂系接着剤からなることが好ましい。
【００２８】
前記テープコア１００は、一般的にポリエチレンフィルムなどを用いることができ、厚さは０．０２ｍｍないし０．１ｍｍ程度に調整できるものであり、ウェットティッシュ包装袋２０の体積と内包されるウェットティッシュの重量とに応じて厚さを調整することができ、固定粘着剤層１１０と、テープコア１００と、脱着粘着剤層１２０との全体厚さは０．０５ｍｍないし１．２ｍｍの範囲まで調整できるであろう。
【００２９】
また、ＪＩＳ−Ｚ−０２３７試験法、１８０ＤｅｇｒｅｅＰｅｅｌＴｅｓｔによって測定された粘着力は、前記固定粘着剤層１１０が５００ｇないし１５００ｇの範囲になるように、また、前記脱着粘着剤層１２０が５０ｇないし１０００ｇの範囲になるように調整することが好ましい。
【００３０】
一例として、本考案のウェットティッシュ用蓋部材に接着される各粘着剤層の粘着力をＪＩＳ−Ｚ−０２３７試験法、Ｂｉｇｕｐメタを用いて１８０ＤｅｇｒｅｅＰｅｅｌＴｅｓｔによって測定した結果、全体の固定粘着剤層１１０と、テープコア１００と、脱着粘着剤層１２０との厚さが０．０１２５ｍｍである場合、固定粘着剤層１１０の粘着力が１１００ｇ、脱着粘着剤層１２０の粘着力が６５ｇになるように構成することができる。他の例として、固定粘着剤層１１０と、テープコア１００と、脱着粘着剤層１２０との全体厚さが１．０ｍｍである場合、固定粘着剤層１１０の粘着力が６００ｇ、脱着粘着剤層１２０の粘着力が１１０ｇになるように構成することができる。さらに他の例として、固定粘着剤層１１０と、テープコア１００と、脱着粘着剤層１２０との全体厚さが０．０７ｍｍである場合、固定粘着剤層１１０の粘着力が１２００ｇ、脱着粘着剤層１２０の粘着力が８００ｇになるように構成することができる。
【００３１】
以下、本考案のウェットティッシュ用蓋部材に適用された固定粘着剤層１１０と、テープコア１００と、脱着粘着剤層１２０との測定規格を次の表１に表わした。
【表１】
0003163938.tif 000003
【００３２】
本考案のウェットティッシュ用蓋部材の底面に形成された固定粘着剤層１１０と、テープコア１００と、脱着粘着剤層１２０とは、上記した条件を十分に満たすことを確認した。
【００３３】
一方、本考案のウェットティッシュ用蓋部材は、上記のように両面の粘着力が異なるように設定された粘着剤層が底面に固定粘着剤層１１０と、テープコア１００と、脱着粘着剤層１２０とが順次形成されており、特に、ウェットティッシュ包装袋２０に接着される脱着粘着剤層１２０は脱着が可能であり、ウェットティッシュを使い切った場合には、ウェットティッシュ包装袋２０から容易に分離して再使用することができる。
【００３４】
特に、前記脱着粘着剤層１２０は、ウレタン樹脂系接着剤で加工されているため、何度でもウェットティッシュ包装袋２０に脱着させて再使用することができ、ウェットティッシュ包装袋２０から何度でも取り外してもウェットティッシュ包装袋２０の方へ粘着剤が移行しないので、粘着剤の痕跡や汚染を残さず、数回の再使用によって粘着力が弱くなっても、水拭きで汚れを取り除くことで粘着力が復元するので、再使用できるようになる。
【００３５】
以上で説明した本考案は、前述した実施形態及び添付図面によって限定されるものではなく、本考案の技術的思想を逸脱しない範囲内で様々な置換、変形、及び変更が可能であることが本考案の属する技術分野における通常の知識を有する者にとって明白であろう。
【００３６】
なお、本考案の明細書に記載された「ウェットティッシュ包装袋」は、ウェットティッシュを内包可能なビニール袋等により形成される袋体であって、本考案の明細書及び実用新案登録請求の範囲に記載された「ウェットシート包装体」の一実施形態である。「ウェットシート包装体」は、ウェットシートを乾燥させないようにウェットシートを内包可能な容器であればよく、例えば、ビニール袋等の袋状のものや、合成樹脂製のケース等のケース状のもの等を含む概念である。
【符号の説明】
【００３７】
１０        蓋
１２        蓋本体
２０        ウェットティッシュ（ウェットシート）
１００      テープコア
１１０      固定粘着剤層
１２０      脱着粘着剤層
【図１】
0003163938.tif 000004
【図２】
0003163938.tif 000005
【図３】
0003163938.tif 000006
【図４】
0003163938.tif 000007